(57)【特許請求の範囲】
【請求項１】
保持端部、該保持端部に相対する文房具機能端部、及び前記保持端部に規定された保持凹所を有する本体と、
前記本体の保持凹所内に据えられた、消しゴムを保持し、前記本体に関する前記消しゴムの伸長方向長さを調節するための消しゴム保持装置であって、
前記本体の保持端部に関する位置において前記消しゴム保持装置に規定された開口、及び
前記本体の保持凹所内に滑動可能に据えられ、前記本体に関する前記消しゴムの伸長方向長さを調節するために前記保持凹所と前記消しゴム保持装置の開口との間で滑動可能であり、前記消しゴムを押圧するための複数の締め付け突起を備えた締め付けセグメントを含む、消しゴム保持装置とを備え、
前記本体の前記保持凹所は、内面と、前記保持凹所の前記内面に形成された第１の座屈セグメントを有し、
前記消しゴム保持装置は、前記第１の座屈セグメントに係合する第２の座屈セグメントを有する文房具。
【請求項２】
前記消しゴム保持装置の締め付けセグメントは、前記締め付けセグメントに相対して形成された２つの締め付け突起を有する、請求項１に記載の文房具。
【請求項３】
前記消しゴム保持装置は、さらに、前記締め付けセグメントに接続され、また、前記締め付けセグメントから間隔を有する、前記消しゴム保持装置の開口を形成すべく前記本体内の保持凹所から伸びる案内セグメントを有する、請求項２に記載の文房具。
【請求項４】
前記消しゴム保持装置は、前記本体の保持凹所内に取り外し可能に据えられ、また、前記締め付けセグメントの２つの相対する側部に形成された２つの弾性アームを含み、
各弾性アームは、
前記締め付けセグメントの内端部に一体的に接続された内端部と、
外方へ伸び、また、前記消しゴムを締め付けるための締め付け突起が設けられた外端部とを有する、請求項３に記載の文房具。
【請求項５】
前記第２の座屈セグメントは、前記締め付けセグメントの内部端上に形成され、前記第１の座屈セグメントと取り外し可能に係合する、請求項４に記載の文房具。
【請求項６】
前記第１の座屈セグメントは、前記保持凹所の内面の２つの相対する側部にそれぞれ形成された２つの座屈空洞を含み、
前記第２の座屈セグメントは、前記締め付けセグメントの内端部の２つの相対する外側部にそれぞれ形成され、該外側部から突出しかつ前記座屈空洞とそれぞれ係合する２つの座屈ボスを含む、請求項５に記載の文房具。
【請求項７】
前記締め付けセグメントは、前記締め付けセグメントを２つの半分の締め付けフレームに分割するために前記締め付けセグメントの２つの側壁の中間部に横方向に形成された弾性スロットを有する、請求項２ないし６のいずれか１項に記載の文房具。
【請求項８】
前記消しゴム保持装置は、さらに、前記締め付けセグメントの外端部の周りに形成され、前記本体の保持端部に隣接する停止フランジを含む、請求項７に記載の文房具。
【請求項９】
さらに、前記消しゴム保持装置の周りに据えられたキャップを含む、請求項５に記載の文房具。
【請求項１０】
前記第１の座屈セグメントは、前記保持凹所の内面の２つの相対する側部にそれぞれ形成された２つの座屈フックを含み、また、
前記第２の座屈セグメントは、前記締め付けセグメントの２つの相対する外側部上にそれぞれ形成され、前記外側部から突出し、前記座屈フックにそれぞれ係合する、２つの座屈ボスを含む、請求項５に記載の文房具。
【請求項１１】
前記締め付けセグメントは２つの締め付けタブを含み、
各締め付けタブは、
内端部と、
前記締め付けタブの前記内端部上に形成され、互いに他の一方に向けて伸びる押圧フランジとを有し、
前記弾性アームは前記締め付けタブ上にそれぞれ形成されている、請求項１０に記載の文房具。
【請求項１２】
前記消しゴム保持装置は、さらに、
案内管であって、前記消しゴムを内部に保持するための細長い通路、及び前記案内管の管壁に長手方向に規定された少なくとも１つの案内溝を有する案内管と、
前記消しゴム保持装置の締め付けセグメントとして働くように少なくとも１つの案内溝に沿って前記案内管内に滑動可能に据えられた押圧スライダであって、前記締め付け突起は前記押圧スライダ上に形成されている、押圧スライダと、
前記案内管の周りに回転可能に据えられ、前記押圧スライダに接続され該前記押圧スライダが移動するようにこれを駆動するための回転ノブとを含む、請求項１に記載の文房具。
【請求項１３】
前記案内管は、該案内管の管壁の２つの相対する側部にそれぞれ形成された２つの案内溝を有し、また、
前記消しゴム保持装置は、前記押圧スライダの２つの端部上にそれぞれ形成された２つの締め付け突起を有する、請求項１２に記載の文房具。
【請求項１４】
前記押圧スライダは、さらに、前記押圧スライダの端部上にそれぞれ形成され、また、前記案内管の案内溝にそれぞれ据えられた２つのねじリブを含み、また、
前記回転ノブは、さらに、
前記回転ノブの内面に形成され、前記押圧スライダの前記ねじリブと係合する内ねじと、
前記回転ノブが回転されることを可能としかつ前記消しゴムの伸長方向長さを調節するために前記案内管に沿って移動するように前記押圧スライダを駆動するために前記回転ノブの外端部上に形成された頭部とを有する、請求項１３に記載の文房具。
【請求項１５】
前記案内管は、案内セグメントであって、軸方向へ前記案内管から外方へ伸び、前記締め付けセグメントから間隔を有する案内セグメントの端部を形成する案内セグメントを有する、請求項１４に記載の文房具。
【請求項１６】
前記押圧スライダは、
前記案内管の通路に据えられた押圧板及び２つの端部と、
前記押圧板の両端部にそれぞれ形成されかつ前記案内管の案内溝内にそれぞれ据えられた２つの締め付け翼であって、各締め付け翼が内側部と外側部とを有する２つの締め付け翼とを含み、
前記締め付け突起がそれぞれ前記押圧スライダの締め付け翼の内側部に形成され、また、
前記ねじリブがそれぞれ前記押圧スライダの締め付け翼の外側部に形成されている、請求項１４に記載の文房具。
【請求項１７】
前記消しゴム保持装置は、さらに、前記案内管の周りに据えられ、内端部と外端部とを有する外フレームを備え、
前記案内管は、前記外フレーム内に分離して据えられ、また、
前記外フレームの内端部に接続された内端部と、
前記外フレームの外端部から伸びる外端部とを有し、
前記回転ノブが前記案内管と前記外フレームとの間に据えられている、請求項１４ないし１６のいずれか１項に記載の文房具。
【請求項１８】
前記外フレームは、該外フレームの外端部の周りに形成されまた前記保持凹所の口に隣接する停止フランジを有し、
前記停止フランジは、内面と、前記停止フランジの前記内面上に形成された位置決めセグメントとを有し、
前記回転ノブは、該回転ノブの外面上に形成され前記外フレームの前記停止フランジ上の位置決めセグメントに回転可能に係合する係合セグメントを有する、請求項１７に記載の文房具。
【請求項１９】
前記位置決めセグメントは、少なくとも１つの位置決めフランジを含み、前記係合セグメントは少なくとも１つの位置決めフランジの周りに据えられた環状の凹所を含む、請求項１８に記載の文房具。
【請求項２０】
保持端部、該保持端部に相対する文房具機能端部、及び前記保持端部に規定された保持凹所を有する本体と、
前記本体の保持凹所内に据えられた、消しゴムを保持し、前記本体に関する前記消しゴムの伸長方向長さを調節するための消しゴム保持装置であって、
前記本体の保持端部に関する位置において前記消しゴム保持装置に規定された開口、及び
前記本体の保持凹所内に滑動可能に据えられ、前記本体に関する前記消しゴムの伸長方向長さを調節するために前記保持凹所と前記消しゴム保持装置の開口との間で滑動可能であり、前記消しゴムを押圧するための複数の締め付け突起を備えた締め付けセグメントを含む、消しゴム保持装置とを備え、
前記消しゴム保持装置は、さらに
案内管であって、前記消しゴムを内部に保持するための細長い通路、及び前記案内管と管壁に長手方向に規定された少なくとも１つの案内溝を有する案内管と、
前記消しゴム保持装置の締め付けセグメントとして働くように少なくとも１つの案内溝に沿って前記案内管内に滑動可能に据えられた押圧スライダであって、前記締め付け突起は前記押圧スライダ上に形成されている、押圧スライダと、
前記案内管の周りに回転可能に据えられ、前記押圧スライダに接続され該押圧スライダが移動するようにこれを駆動するための回転ノブとを含み、
前記保持凹所は底部を有し、
前記案内管は前記保持凹所の底部に接続された内端部を有し、
前記回転ノブは前記案内管と前記本体との間に据えられている文房具。
【請求項２１】
前記案内管は前記保持凹所から伸びる外端部を有する、請求項２０に記載の文房具。
【請求項２２】
前記保持凹所の底部は、前記本体の側壁から一体的にかつ横方向へ伸びる、請求項２１に記載の文房具。
【請求項２３】
前記保持凹所は、内面と、前記保持凹所の前記内面上に形成された位置決めセグメントとを有し、
前記回転ノブは、該回転ノブの外面上に形成され、前記保持凹所内の前記位置決めセグメントに回転可能に係合する係合セグメントを有する、請求項２２に記載の文房具。
【請求項２４】
前記位置決めセグメントは、少なくとも１つの位置決めフランジを含み、
前記係合セグメントは、前記少なくとも１つの位置決めフランジの周りに据えられた環状の凹所を含む、請求項２３に記載の文房具。
【請求項２５】
前記第２の座屈セグメントが前記外フレームの内面上に形成される、請求項１８に記載の文房具。
【請求項２６】
前記第１の座屈セグメントは、前記保持凹所の内面の２つの相対する側部にそれぞれ形成された２つの座屈空洞を含み、
前記第２の座屈セグメントは、前記外フレームの２つの相対する外側部にそれぞれ形成され、該外側部から突出しかつ前記座屈凹所にそれぞれ係合する２つの座屈ボスを含む、請求項２５に記載の文房具。
【請求項２７】
前記外フレームは、該外フレームを２つの半分のフレームに分割するために前記外フレームの中間部に横方向に形成された弾性スロットを有する、請求項２６に記載の文房具。
【請求項２８】
前記案内管の外端部は、前記回転ノブの頭部を前記外フレームの停止フランジに隣接させるために前記外フレーム上の前記停止フランジから伸びている、請求項１８に記載の文房具。
【請求項２９】
前記案内溝は、前記外フレームの弾性スロットに対応し、また、前記案内管の内端部から前記停止フランジを超えて通過する位置へ伸びる、請求項２７に記載の文房具。
【請求項３０】
さらに、前記消しゴム保持装置の周りに据えられたキャップを含む、請求項１７に記載の文房具。
【請求項３１】
前記外フレームは、該外フレームを２つの半分のフレームに分割するために前記外フレームの中間部に横方向に形成された弾性スロットを有する、請求項１７に記載の文房具。
【請求項３２】
前記案内溝は、前記外フレームの弾性スロットに対応し、また、前記案内管の内端部から前記停止フランジを超えて通過する位置へ伸びる、請求項３１に記載の文房具。
【請求項３３】
前記本体の文房具機能端部に接着性を有する薄いフィルムのディスペンサが設けられている、請求項１ないし６及び１０ないし１６のいずれか１項に記載の文房具。
【発明の詳細な説明】
【技術分野】
【０００１】
本発明は、文房具に関し、より詳細には消しゴムの伸長方向長さを調節するための消しゴム保持装置を有し、また、消しゴムを容易に交換することができる文房具に関する。
【背景技術】
【０００２】
消しゴムは、そのほとんどが、ユーザが消しゴムを片手に持って鉛筆の書き跡を消し去ることを可能にするブロック状又はスティック状の個々の物体からなる。消しゴムをきれいにしておくため、「回転型スティック状物体ディスペンサ」と題する台湾実用新案特許第３３６５４８号が提案されている。この‘５４８号特許のディスペンサは、内部にスティック型消しゴムを含む管状体を含み、前記消しゴムは回転しながら前記管状体から押し出され又は前記管状体内に引き込まれる。しかし、‘５４８号特許のディスペンサは、鉛筆又はペンのような他の文房具とは別個の物であり、このため、ユーザは、文字を書きあるいは線を引くために鉛筆、消しゴム又は修正テープを交互に使用しなければならない。異なる文房具を交互に使用することは不便であり、異なる種類の文房具を準備し、運び、保管するには大きいスペースを要し、また、不便である。
【０００３】
加えて、「二重機能修正テープ」と題する台湾実用新案特許第３２３９９５号は、図２０を参照すると、修正テープ本体５０にしっかりと取り付けられた消しゴム５２を開示する。本体５０は該本体の後端部に規定された凹所５１を有し、消しゴム５２は凹所５１に圧入されている。消しゴム５２が汚れるのを防ぐために消しゴム５２を内部に保持すべく、本体５０の前記後端部にキャップ５３が取り外し可能に取り付けられる。使用に際し、前記修正テープ及び消しゴム５２が使いやすいように、本体５０を逆さまに回転させることにより前記訂正テープと消しゴム５２とを選択的に使用することができる。
【０００４】
しかし、消しゴム５２は本体５０にしっかりと取り付けられているため、前記消しゴムの変形が生じると、鉛筆の書き跡を消し去る時、消しゴム５２は本体５０から容易に分離する。加えて、消しゴム５２の伸長方向長さを本体５０に関して調節することができず、また、本体５０内に格納することができず、これは、使用上の融通性に欠ける。さらに、消しゴム５２が消耗し又は損傷したとき、使用後の消しゴムを本体５０から簡単に取り外すことができず、また、新しいものと交換することができない。
【０００５】
このような欠点を解消するため、本発明は、前述した問題を軽減し又は取り除くための文房具を提供すること意図する。
【先行技術文献】
【特許文献】
【０００６】
【特許文献１】台湾実用新案特許第３３６５４８号
【特許文献２】台湾実用新案特許第３２３９９５号
【発明の概要】
【発明が解決しようとする課題】
【０００７】
本発明の主な目的は、消しゴムをしっかりと締め付けるための消しゴム保持装置を有し、また、前記消しゴムの伸長方向長さを調節しかつ使用後の消しゴムを容易に交換することができる文房具を提供することにある。
【課題を解決するための手段】
【０００８】
前記文房具は、消しゴムと調節可能に結合するための第１の端部と文房具要素と結合するための第２の端部とを有し、また、本体と、消しゴム保持装置とを含む。前記本体は保持端部と、該保持端部に相対する機能的端部と、前記本体の保持端部に規定された保持凹所とを有する。前記消しゴム保持装置は、前記本体に関して前記消しゴムの伸長方向長さを調節するために前記消しゴムを保持するための前記本体の保持凹所内に据えられており、また、開口と、締め付けセグメントとを含む。前記開口は、前記本体の保持端部に関する位置において前記消しゴム保持装置に規定されている。前記締め付けセグメントは、前記本体の保持凹所内に滑動可能に据えられており、前記本体に関して前記消しゴムの伸長方向長さを調節するために前記保持凹所と前記消しゴム保持装置の開口との間で滑動可能であり、また、前記消しゴムに対する押圧のための多数の締め付け突起を含む。
【発明の効果】
【０００９】
このような配列により、本発明に係る消しゴム保持装置は、前記本体に関する前記消しゴムの伸長方向長さを調節し、また、前記消しゴムを容易に取り替える機能を有する。前記消しゴムは使用のために前記本体から伸びるように押され、また、消し去り後に完全に格納されることが可能である。交換について、前記消しゴムは、前記消しゴム保持装置を前記本体から引き出し又は回転ノブを回転させることにより、容易に取り替えられることが可能であり、これは操作上便利である。
【００１０】
加えて、前記消しゴム保持装置が締め付けセグメントと案内セグメントとを有するため、消しゴムはこれが前記本体から分離することを防止するために前記締め付けセグメントによりしっかりと締め付けられることが可能である。前記案内セグメントは、消し去りの間の前記消しゴムの極端な変形を抑制することができ、また、前記消しゴムが前記本体から分離することを防止し、かつ前記消しゴムの変形を和らげる機能を有する。
【００１１】
本発明の他の目的、利点及び新規な特徴は、添付図面を併用して理解するとき、以下の詳細な説明からさらに明らかとなろう。
【図面の簡単な説明】
【００１２】
【図１】本発明に係る文房具の第１の実施形態の分解斜視図である。
【図２】図１に示す文房具の拡大分解斜視図である。
【図３】図１に示す文房具を部分断面で示す拡大側面図である。
【図４】本発明に係る文房具の第２の実施形態の分解斜視図である。
【図５】図２に示す文房具の拡大分解斜視図である。
【図６】図２に示す文房具を部分断面で示す拡大側面図である。
【図７】消しゴムが交換されている動作を示す、図２の文房具を部分断面で示す拡大動作側面図である。
【図８】本発明に係る文房具の第３の実施形態の分解斜視図である。
【図９】図８に示す文房具の拡大分解斜視図である。
【図１０】図８に示す文房具を部分断面で示す拡大斜視図である。
【図１１】本体に関して押し出されている消しゴムを示す、図８の文房具を部分断面で示す拡大動作斜視図である。
【図１２】本発明に係る文房具の第４の実施形態の分解斜視図である。
【図１３】図１２に示す文房具の拡大分解斜視図である。
【図１４】図１２に示す文房具を部分断面で示す拡大斜視図である。
【図１５】本体に関して押し出されている消しゴムを示す、図１２の文房具を部分断面で示す拡大動作斜視図である。
【図１６】本発明に係る文房具の第５の実施形態の分解斜視図である。
【図１７】図１６に示す文房具の拡大分解斜視図である。
【図１８】図１６に示す文房具を部分断面で示す拡大斜視図である。
【図１９】本体に関して押し出されている消しゴムを示す、図１６の文房具を部分断面で示す拡大動作斜視図である。
【図２０】‘９９５号特許の従来の修正テープの分解斜視図である。
【発明を実施するための形態】
【００１３】
本発明は、消しゴム保持装置を有する文房具に関する。本発明に係る文房具は、消しゴムをしっかりと保持するための前記消しゴムが設けられた保持端部と、鉛筆又はペンのような筆記具、あるいは修正テープ・ディスペンサ又は接着テープ・ディスペンサのような接着用の薄いフィルムのディスペンサからなる文房具機能端部とを有する。したがって、本発明に係る文房具は、使い勝手のよい２つの異種の文房具機能を有する。
【００１４】
本発明に係る文房具は、本体と、該本体の一端部に規定された保持凹所とを有する。消しゴム保持装置が前記保持凹所内に据えられており、前記消しゴム保持装置は開口と締め付けセグメントとを有する。前記開口は、前記本体外の端部において前記消しゴム保持装置内に規定されている。前記締め付けセグメントは、前記本体の保持凹所内に滑動可能に据えられており、また、前記本体に関する前記消しゴムの伸長方向長さを調節するために前記保持凹所と前記消しゴム保持装置の開口との間で滑動可能であり、また、前記本体に関する消しゴムの伸長方向長さを調節するために前記消しゴムを保持するための前記消しゴムを押圧する多数の締め付け突起を含む。
【００１５】
図１ないし図３を参照すると、本発明に係る文房具の第１の実施形態は、本体１０と、消しゴム保持装置２０と、キャップ３０とを含む。
【００１６】
本体１０は、筆記具、修正テープ・ディスペンサ、接着テープ・ディスペンサ等からなり、細長く、また、保持端部と、文房具機能端部と、保持凹所１１とを含む。前記文房具機能端部は、前記保持端部の反対側にある。保持凹所１１は、本体１０の前記保持端部に規定された口と、保持凹所１１の内面上に形成された第１の座屈セグメント１２とを含む。第１の座屈セグメント１２は、前記口と反対の内端部において保持凹所１１の内面の２つの相対する側部に形成されている。第１の座屈セグメント１２は、保持凹所１１の前記内面の相対する両側部にそれぞれ形成された２つの空洞として実施される。
【００１７】
消しゴム保持装置２０は中空の矩形のフレームからなり、本体１０上に取り外し可能に据えられ、また、開口と、締め付けセグメント２１と、停止フランジ２２と、案内セグメント２３とを含む。前記開口は、本体１０の前記保持端部に関する位置において消しゴム保持装置２０に規定されている。好ましくは、前記開口は、本体１０の前記保持端部の外側又は内側にある消しゴム保持装置２０の一端部内に規定されている。締め付けセグメント２１は、本体１０の保持凹所１１内に取り外し可能に据えられ、保持凹所１１と前記開口との間で滑動可能である。締め付けセグメント２１は、前記開口に隣接する外端部と、前記開口に相対する内端部とを有する。締め付けセグメント２１は、該締め付けセグメントの２つの側壁の中間部に横方向に形成された弾性スロット２１０を有し、締め付けセグメント２１を２つの半分の締め付けフレームに分割し、その結果、２つの半分の締め付けフレームは互いに他の一方に向けて押圧される弾性機能を有する。締め付けセグメント２１は、２つの半分締め付けフレームの外側において前記内端部上に形成され第２の座屈セグメント２１１であって本体１０の第１の座屈セグメント１２と係合し、消しゴム保持装置２０が本体１０から外れることを抑制する第２の座屈セグメント２１１を有する。好ましくは、第２の座屈セグメント２１１は、両半分締め付けフレームの外側においてそれぞれ前記内端部に形成され、前記内端部から突出する２つの座屈ボスを含む。
【００１８】
締め付けセグメント２１は、さらに、２つの半分のフレームの中央部に形成された２つの弾性アーム２１２を含み、各弾性アーム２１２は内端部と外端部とを有する。前記内端部は、対応する前記半分の締め付けフレームの内端部と一体的に接続されている。前記外端部は外方へ伸び、該外端部には締め付け突起２１３が設けられている。締め付け突起２１３は、弾性アーム２１２が消しゴム４０を確実に締め付けるために締め付けセグメント２１の内部空間に弾性的に突出することを可能とすべく、本体１０内の保持凹所１１の内面に隣接している。
【００１９】
加えて、締め付け突起２１３の数及び構造は、本発明において限定されず、また、少なくとも３つの締め付け突起２１３が本発明により提供されることが可能である。
【００２０】
停止フランジ２２は、締め付けセグメント２１の外端部の周りに形成され、また、保持凹所１１の前記口が規定されている本体１０の保持端部に隣接している。
【００２１】
案内セグメント２３は、矩形フレームからなり、締め付けセグメント２１の外端部に形成され、停止フランジ２２から外方に突出し、締め付けセグメント２１から間隔を有する、消しゴム保持装置２０の前記開口を形成する。その結果、消しゴム４０は、これが書き跡を消し去るために使用される間の極端な変形を抑制され、締め付けセグメント２１からの分離を抑制され、また、極端な変形による損傷を抑制されることが可能である。
【００２２】
キャップ３０が、消しゴム保持装置２０が取り付けられた前記保持端部において本体１０上に取り外し可能に据えられ、停止フランジ２２の周りに据えられ、また、消しゴム保持装置２０を完全に覆い、消しゴム４０に対する保護効果を提供しまた消しゴム４０が汚れないようにする。
【００２３】
使用に際し、消しゴム保持装置２０が本体１０から引き出され、スティック型の消しゴム４０が消しゴム保持装置２０内に挿入される。次に、消しゴム４０を有する消しゴム保持装置２０が本体１０内の保持凹所１１内に挿入される。複数の締め付け突起２１３と本体１０との隣接により、複数の弾性アーム２１２が互いに他の一方に向けて押圧され、消しゴム４０の内端部を締め付け、消しゴム４０を所定の位置に確実に保持する。消しゴム４０の中間部は案内セグメント２３内に据えられかつ案内セグメント２３に隣接し、消しゴム４０の外端部は案内セグメント２３から伸び、消し去り端部としての役割を果たす。その結果、消している間、消しゴム保持装置２０の案内セグメント２３が消しゴム４０の極端な変形と締め付けセグメント２１からの分離を抑制することができる。
【００２４】
加えて、消しゴム４０の伸長方向長さが十分でなく又は損傷され、あるいは使用後の消しゴム４０が新しいものと取り替えられなければならないとき、消しゴム保持装置２０が保持凹所１１から引き出される。次に、消しゴム４０の伸長方向長さを調節するために消しゴム４０が滑動されることが可能であり、あるいは、使用後の消しゴム４０が消しゴム保持装置２０から完全に引き出され、新しいものと交換される。その結果、使用のため、調節された又は新しい消しゴム４０を有する消しゴム保持装置２０が保持凹所１１内に挿入され、その結果、消しゴム４０の調節又は交換が容易に、使い勝手良く、また迅速に行われる。
【００２５】
図４ないし図７を参照すると、本発明の第２の実施形態は、本体１０Ａと、消しゴム保持装置２０Ａと、キャップ３０Ａとを含む。本体１０Ａは、第１の座屈セグメント１２Ａが、保持凹所１１Ａの内面の２つの相対する側部上にそれぞれ形成された２つの座屈フックからなることを除いて、前記第１の実施形態におけると実質的に同一の構造を有する。
【００２６】
消しゴム保持装置２０Ａは、中空の矩形フレームを有し、また、締め付けセグメント２１Ａと、案内セグメント２３Ａとを含む。締め付けセグメント２１Ａは保持凹所１１Ａ内に取り外し可能に据えられ、互いに対応する２つの締め付けタブを含む。各締め付けタブは、内端部と、前記締め付けタブの内端部に形成され、互いに他の一方に向けて伸び、消しゴム４０の内端部をブロックしかつ保持する押圧フランジ２１０Ａとを有する。第２の座屈セグメント２１１Ａが複数の前記締め付けタブの中間部上に形成され、第１の座屈セグメント１２Ａと係合し、消しゴム保持装置２０Ａ内に消しゴム４０を挿入する間に消しゴム保持装置２０Ａが本体１０Ａに関して滑るのを抑制する。好ましくは、第２の座屈セグメント２１１Ａは、前記締め付けタブの２つの側部においてそれぞれ中間部上に形成され、該中間部から伸びる２つの座屈ボスを含む。
【００２７】
各締め付けタブは、さらに、前記締め付けタブに形成された弾性アーム２１２Ａを有し、各弾性アーム２１２Ａは内端部と外端部とを有する。前記内端部は前記締め付けタブに一体的に接続され、また、前記内端部に横方向に形成された阻止用突起２１４Ａを有する。前記外端部は外方へ伸び、また、横方向締め付け突起２１３Ａが設けられている。締め付け突起２１３Ａは、消しゴム４０を確実に締め付けるため、弾性アーム２１２Ａが締め付けセグメント２１Ａの内部空間内に弾性的に突出することが可能であるように、保持凹所１１Ａの内面又は第１の座屈セグメント１２Ａに隣接する。
【００２８】
案内セグメント２３Ａは矩形フレームからなり、締め付けセグメント２１Ａの外端部に形成されかつ保持凹所１１Ａの前記口内に据えられ、該口から外方へ突出し、締め付けセグメント２１Ａから間隔を有する、消しゴム保持装置２０Ａの前記開口を形成する。その結果、消しゴム４０が筆跡又は書き跡を消すために使用されている間の消しゴム４０の極端な変形が抑制され、また、消しゴム４０の締め付けセグメント２１Ａからの分離及び極端な変形による消しゴム４０の損傷が抑制されることが可能である。
【００２９】
キャップ３０Ａが、消しゴム保持装置２０Ａが据えられている前記保持端部において本体１０Ａ上に取り外し可能に据えられ、また、案内セグメント２３Ａの周りに据えられ、消しゴム保持装置２０Ａを完全に覆い、消しゴム４０に対する保護効果を与え、また、消しゴム４０を汚れないようにする。
【００３０】
本発明の前記第２の実施形態の使用は、前記第１の実施形態のそれと実質的に同一であるが、消しゴム４０の調節又は取り替えの操作は異なり、また、以下の通りである。
【００３１】
消しゴム４０の伸長方向長さが十分でないか又は損傷し、あるいは使用後の消しゴム４０が新しいものと交換されなければならないとき、消しゴム保持装置２０Ａが、前記締め付けタブ上の阻止用突起２１４Ａが第１の座屈セグメント１２Ａの座屈フックと係合するまで、保持凹所１１Ａに関して引き出される。したがって、消しゴム保持装置２０Ａは、本体１０からの分離が抑制される。このとき、前記座屈フックが、阻止用突起２１４Ａと、第２の座屈セグメント２１１Ａの座屈ボスとの間に保持され、消しゴム保持装置２０Ａの滑動運動が阻止される。他方、前記締め付けタブ上の締め付け突起２１３Ａが本体１０Ａから逃れ、締め付け突起２１３Ａは消しゴム４０に対する締め付けをしない。結果として、締め付け突起２１３Ａにより与えられ、消しゴム４０に加えられる締め付け力が解除され、これにより消しゴム４０はその伸長方向長さの調節のための滑動が可能とされ、あるいは使用後の消しゴム４０の新しいものへの取り替えが可能とされる。その結果、調節され又は新しい消しゴム４０を有する消しゴム保持装置２０Ａが保持凹所１１Ａに押し入れられ、第２の座屈セグメント２１１Ａが第１の座屈セグメント１２Ａと再び係合される。その結果、消しゴム４０の調節又は取り替え操作が完了する。
【００３２】
図８ないし図１１を参照すると、本発明の第３の実施形態は、本体１０Ｂと、取り外し可能でありかつ回転可能である消しゴム保持装置２０Ｂと、キャップ３０Ｂとを含む。
【００３３】
本体１０Ｂは前記第１の実施形態におけると実質的に同一の構造を有し、さらなる説明は省略される。
【００３４】
消しゴム保持装置２０Ｂは、保持凹所１１Ｂに取り外し可能に挿入され、また、外フレーム２１Ｂと、停止フランジ２２Ｂと、案内管２３Ｂと、押圧スライダ２４Ｂと、回転ノブ２５Ｂとを含む。外フレーム２１Ｂは、保持凹所１１Ｂ内に取り外し可能に据えられ、また、外フレーム２１Ｂを２つの半分のフレームに分割するために外フレーム２１Ｂの中間部に横方向に形成された弾性スロット２１０Ｂを有し、２つの半分のフレームは互いに他の一方に向けて押圧される弾性機能を有する。第２の座屈セグメント２１１Ｂが２つの半分のフレームの外側において前記内端部に形成されまた本体１０Ｂの第１の座屈セグメント１２Ｂと係合し、消しゴム保持装置２０Ｂが本体１０Ｂから分離することを抑制する。好ましくは、第２の座屈セグメント２１１Ｂは、２つの半分のフレームの外側において前記内端部にそれぞれ形成され、該内端部から突出する２つの座屈ボスを含む。
【００３５】
停止フランジ２２Ｂは矩形状を呈し、外フレーム２１Ｂの周りに形成され、保持凹所１１Ｂの口が規定される本体１０Ｂの保持端部に隣接する。停止フランジ２２Ｂは内面と、停止フランジ２２Ｂの前記内面上に形成された位置決めセグメントとを有する。前記位置決めセグメントは、少なくとも１つの位置決めフランジ２２０Ｂと、環状の位置決めリブ又は環状の凹所とを含む。
【００３６】
案内管２３Ｂは外フレーム２１Ｂ内に分離して据えられ、外フレーム２１Ｂと案内管２３Ｂとの間に分離空間を規定する。案内管２３Ｂは外フレーム２１Ｂの内端部に一体的に接続された内端部と、外フレーム２１Ｂの外端部から伸び、停止フランジ２２Ｂを超えて本体１０Ｂから突出する外端部とを有する。案内管２３Ｂは、内部に消しゴム４０を保持するために案内管２３Ｂ内に規定されまた矩形の断面を有する細長い通路２３０Ｂを備える。２つの案内溝２３１Ｂが、案内管２３Ｂの管壁の２つの相対する側に長手方向へそれぞれ規定されている。好ましくは、案内溝２３１Ｂは外フレーム２１Ｂの弾性スロット２１０Ｂに対応しかつこれと整列し、また、案内管２３Ｂの前記外端部から停止フランジ２２Ｂを超えて通過する位置まで伸びる。
【００３７】
押圧スライダ２４Ｂが、消しゴム保持装置２０Ｂの締め付けセグメントとして働くように案内管２３Ｂ内に案内溝２３１Ｂに沿って滑動可能に据えられており、押圧板２４０Ｂと２つの締め付け翼２４１とを含む。押圧板２４０Ｂは、案内管２３Ｂの通路２３０Ｂに据えられ、通路２３０Ｂの形状に対応しまた２つの端部を有する。両締め付け翼２４１Ｂは、押圧板２４０Ｂの両端部にそれぞれ形成され、また、案内管２３Ｂ内の案内溝２３１Ｂにそれぞれ据えられる。各締め付け翼２４１Ｂは、内側部、外側部、ねじリブ２４２Ｂと、締め付け突起２４３Ｂとを有する。ねじリブ２４２Ｂは、締め付け翼２４１Ｂの外側部に形成されている。締め付け突起２４３Ｂは、消しゴム４０の内端部を締め付けるために締め付け翼２４１Ｂの内側部に形成されている。
【００３８】
回転ノブ２５Ｂは円形の中空管からなり、案内管２３Ｂの周りに回転可能に据えられかつ外フレーム２１Ｂ内に据えられる。さらに、回転ノブ２５Ｂは内ねじ２５０Ｂと、頭部２５１Ｂとを有する。内ねじ２５０Ｂは回転ノブ２５Ｂの内面に形成されており、締め付け翼２４１Ｂ上のねじリブ２４２Ｂと噛み合う。頭部２５１Ｂは回転ノブ２５Ｂの外端部上に形成されており、回転ノブ２５Ｂが回転されることを可能とし、また、消しゴム４０の伸長方向長さを調節するために押圧スライダ２４Ｂをこれが案内管２３Ｂに沿って移動するように駆動すべく、停止フランジ２２Ｂに隣接している。好ましくは、回転ノブ２５Ｂは、該回転ノブの外面上に形成された係合セグメントを有し、また、停止フランジ２２Ｂ上の位置決めセグメントと回転可能に係合する。前記係合セグメントは、少なくとも１つの位置決めフランジ２２０Ｂ又は前記位置決めセグメントの環状の位置決めリブに対応しかつこれと係合する環状凹所２５２Ｂからなり、あるいは、前記位置決めセグメントの環状凹所に対応しかつこれと係合する少なくとも１つの位置決めフランジ又は環状の位置決めリブを含む。したがって、回転ノブ２５Ｂは停止フランジ２２Ｂ上に回転可能に据えられている。
【００３９】
キャップ３０Ｂは、前記第１の実施形態におけると同一の構造を有し、詳細な説明は省略される。
【００４０】
使用に際し、スティック型の消しゴム４０が案内管２３Ｂの通路２３０Ｂ内に挿入され、消しゴム４０の内端部が押圧板２４０Ｂに対して隣接し、締め付け翼２４１Ｂの締め付け突起２４３Ｂにより締め付けられる。消しゴム４０の外端部は、回転ノブ２５Ｂから伸び、消し去り用端部として働き、消しゴム４０の中間部が案内管２３Ｂの管壁により保持されかつ制限される。その結果、消しゴム４０は、極端な変形を抑制され、また、消しゴム保持装置２０Ｂからの分離が抑制される。
【００４１】
消しゴム４０の伸長方向長さが十分でないか又は消しゴム４０が損傷し、あるいは使用後の消しゴム４０が新しいものと交換されなければならないとき、回転ノブ２５Ｂの頭部２５１Ｂが回転され、押圧スライダ２４Ｂが、内ねじ２５０Ｂと締め付け翼２４１上のねじリブ２４２Ｂとの間の係合により案内管２３Ｂ内の案内溝２３１Ｂに沿って移動される。したがって、消しゴム４０が押圧され、適当な伸長方向長さに関して消しゴム保持装置２０Ｂの開口から伸びる。使用後の消しゴム４０を新しいものに取り替えるため、押圧スライダ２４Ｂが消しゴム保持装置２０Ｂの開口に隣接する位置に移動するまで頭部２５１Ｂが回転される。次に、使用後の消しゴム４０を消しゴム保持装置２０Ｂから取り外し、新しい消しゴム４０を消しゴム保持装置２０Ｂに挿入することができる。
【００４２】
回転ノブ２５Ｂの頭部２５１Ｂが反対方向に回転されると、消しゴム４０を有する押圧スライダ２４Ｂが、内ねじ２５０Ｂと締め付け翼２４１Ｂのねじリブ２４２Ｂとの間の係合により、案内溝２３１Ｂに沿って案内管２３Ｂ内に移動される。したがって、頭部２５１Ｂを回転させることにより、消しゴム４０の伸長方向長さを容易に調節することできる。
【００４３】
図１２ないし図１５を参照すると、本発明の第４の実施形態は、取りはずことはできないが回転可能である消しゴム保持装置２０Ｃを含み、また、外フレーム２１Ｃと、消しゴム保持装置２０Ｃの案内管２３Ｃとが本体１０Ｃ内において一体的に形成されておりかつ前記停止フランジが省略されていることを除いて、前記第３の実施形態におけると実質的に同一の構造を有する。キャップ３０Ｃは、本体１０Ｃ上に取り外し可能に据えられ、消しゴム保持装置２０Ｃを完全に覆う。代わりに、前記外フレーム及び前記停止フランジも省略することができ、また、案内管２３Ｃが本体１０Ｃ内に分離して据えられる。押圧スライダ２４Ｃは案内管２３Ｃ内の通路２３０Ｃ内に移動可能に据えられ、回転ノブ２５Ｃは案内管２３Ｃの周りに回転可能に据えられ、また、本体１０Ｃと案内管２３Ｃとの間に据えられる。前記第４の実施形態の使用及び操作は、前記第３の実施形態のそれらと実質的に同一であり、詳細な説明は省略される。
【００４４】
図１６ないし図１９を参照すると、本発明の第５の実施形態は、取り外し可能ではないが回転可能である消しゴム保持装置２０Ｄを含み、また、前記第４の実施形態におけると実質的に同一の構造を有する。
【００４５】
本体１０Ｄの保持凹所１１Ｄは、本体１０Ｄの側壁から横方向へ突出する底部を有し、また、位置決めセグメントが前記保持凹所の内面上に形成されている。前記位置決めセグメントは、位置決めフランジ１２Ｄ、環状の位置決めリブ又は環状の凹所の少なくとも１つを含む。
【００４６】
案内管２３Ｄは、保持凹所１１Ｄの前記底部に一体的に接続された内端部と、保持凹所１１Ｄから伸びる外端部とを有する。押圧スライダ２４Ｄは案内管２３Ｄ内に据えられ、回転ノブ２５Ｄが案内管２３Ｄの周りに回転可能に据えられ、また、案内管２３Ｄと本体１０Ｄとの間に据えられている。好ましくは、回転ノブ２５Ｄは、該回転ノブの中間部において前記外面上に形成され、本体１０Ｄ内の前記位置決めセグメントと回転可能に係合する係合セグメントを有する。前記係合セグメントは、少なくとも１つの位置決めフランジ１２Ｄ又は前記位置決めセグメントの環状の位置決めリブに対応しまたはこれと係合する環状の凹所２５２Ｄからなり、あるいは、前記位置決めセグメントの環状凹所に対応しかつこれと係合する少なくとも１つの位置決めフランジ又は環状の位置決めリブを含む。したがって、回転ノブ２５Ｄは保持凹所１１Ｄの内面に回転可能に接続されている。前記第５の実施形態において、前記外フレーム及び前記停止フランジは省略されている。
【００４７】
前記第５の実施形態の使用は、前記第４の実施形態のそれと実質的に同一である。回転ノブ２５Ｄが回転されると、押圧スライダ２４Ｄが、消しゴム４０を本体１０Ｄから伸ばし又は該本体内に格納するために案内管２３Ｄに沿って移動するように駆動される。消しゴム４０が本体１０Ｄ内に完全に格納可能であるため、前記キャップは省略することが可能である。
【００４８】
前述の説明により、本発明に係る消しゴム保持装置２０が本体１０に関して消しゴムの伸長方向長さを調節し、また、消しゴム４０を完全に取り替える機能を有する。消しゴム４０は、使用のために本体１０から伸びるように押圧されることが可能であり、また、消した後に完全に格納されるようにすることが可能であり、このため、消しゴム４０は使い勝手が良く、またその用途は広い。取り替えに関して、消しゴム４０は、本体１０から消しゴム保持装置２０を引き出し、又は回転ノブ２５を回転させることにより容易に交換することができ、これは操作が容易である。
【００４９】
加えて、消しゴム保持装置２０が締め付けセグメント２１と案内セグメント２３とを有するため、消しゴム４０は、これが本体１０から分離しないように、締め付けセグメント２１により確実に締め付けられるようにすることができる。案内セグメント２３は消しゴム４０が消している間に激しく変形しないように抑制することができ、また、消しゴム４０が本体１０から分離することを防止しかつ消しゴム４０の変形を吸収する機能を有する。
【００５０】
本発明の特徴及び利点が、本発明の構造及び機能の詳細と共に前述の説明において述べられたが、その開示は説明だけのためにあり、また、変形、特に、部分の形状、サイズ及び配列の事項においては添付の特許請求の範囲が表されている用語の広い一般的な意味によって示される限り本発明の原理内において、詳細になされる。
【符号の説明】
【００５１】
１０、１０Ａ、１０Ｂ、１０Ｃ、１０Ｄ  本体
１１、１１Ａ、１１Ｂ、１１Ｄ  保持凹所
２０、２０Ａ、２０Ｂ、２０Ｃ、２０Ｄ  消しゴム保持装置
４０  消しゴム
【図１】
0005629942.tif 000002
【図２】
0005629942.tif 000003
【図３】
0005629942.tif 000004
【図４】
0005629942.tif 000005
【図５】
0005629942.tif 000006
【図６】
0005629942.tif 000007
【図７】
0005629942.tif 000008
【図８】
0005629942.tif 000009
【図９】
0005629942.tif 000010
【図１０】
0005629942.tif 000011
【図１１】
0005629942.tif 000012
【図１２】
0005629942.tif 000013
【図１３】
0005629942.tif 000014
【図１４】
0005629942.tif 000015
【図１５】
0005629942.tif 000016
【図１６】
0005629942.tif 000017
【図１７】
0005629942.tif 000018
【図１８】
0005629942.tif 000019
【図１９】
0005629942.tif 000020
【図２０】
0005629942.tif 000021